(57)【要約】  本開示は、無線リンク品質の測定方法および端末を提供する。当該測定方法において、ディスカバリ参照信号ＤＲＳの基地局による送信成功確率を取得することと、所定の評価周期内で各サブフレームのセル参照信号ＣＲＳを検出することによって、各サブフレームについて、ＣＲＳ検出状態と、無線リンク測定窓内のＤＲＳ未検出状態を含むサブフレーム状態を得ることと、ＤＲＳの基地局による送信成功確率に基づいて、サブフレーム状態が無線リンク測定窓内のＤＲＳ未検出状態であるサブフレームの状態発生理由を確定することと、状態発生理由およびサブフレーム状態に基づいて、所定の評価周期内の無線リンク品質に対し所定の検出を行い、無線リンクの状態を確定することと、を含む。  【選択図】  図３
2019522405.tif 000002
【特許請求の範囲】
【請求項１】
ディスカバリ参照信号ＤＲＳの基地局による送信成功確率を取得することと、
所定の評価周期内で各サブフレームのセル参照信号ＣＲＳを検出することによって、前記各サブフレームについて、ＣＲＳ検出状態と、無線リンク測定窓内のＤＲＳ未検出状態を含むサブフレーム状態を得ることと、
前記ＤＲＳの基地局による送信成功確率に基づいて、前記サブフレーム状態が前記無線リンク測定窓内のＤＲＳ未検出状態であるサブフレームの状態発生理由を確定することと、
前記状態発生理由および前記サブフレーム状態に基づいて、所定の評価周期内の無線リンク品質に対し所定の検出を行い、無線リンクの状態を確定することと、を含む、端末による無線リンク品質の測定方法。
【請求項２】
ディスカバリ参照信号ＤＲＳの基地局による送信成功確率を取得することは、
前記基地局から所定の周期内でシステムブロードキャストによって送信されるＤＲＳ送信成功確率を取得すること、または、
前記基地局からシステムブロードキャストによって送信される、所定の周期内で統計された平均チャネル占用率を取得し、前記平均チャネル占用率に基づいて前記ＤＲＳの基地局による送信成功確率を確定することを含む請求項１に記載の測定方法。
【請求項３】
前記の前記基地局からシステムブロードキャストによって送信される、所定の周期内で統計された平均チャネル占用率を取得し、前記平均チャネル占用率に基づいて前記ＤＲＳの基地局による送信成功確率を確定することは、
前記平均チャネル占用率を、前記ＤＲＳの基地局による送信成功確率とすること、または、
前記平均チャネル占用率に基づいて、前記ＤＲＳの基地局による送信成功確率を算出することを含む請求項２に記載の測定方法。
【請求項４】
前記の所定の評価周期内で各サブフレームのセル参照信号ＣＲＳを検出することによって、各サブフレームについてサブフレーム状態を得ることは、
前記所定の評価周期内で、ＣＲＳの参照信号受信品質ＲＳＲＱがＣＲＳ検出閾値以上であると検出すると、検出対象であるサブフレームのサブフレーム状態を、ＣＲＳ検出状態と標識することを含む請求項１に記載の測定方法。
【請求項５】
前記の所定の評価周期内で各サブフレームのセル参照信号ＣＲＳを検出することによって、各サブフレームについてサブフレーム状態を得ることは、
前記所定の評価周期内の前記無線リンク測定窓内で、ＤＲＳを検出すると、ＤＲＳが検出されたサブフレームのサブフレーム状態を、ＣＲＳ検出状態と標識することを含む請求項１に記載の測定方法。
【請求項６】
前記の所定の評価周期内で各サブフレームのセル参照信号ＣＲＳを検出することによって、各サブフレームについてサブフレーム状態を得ることは、
前記所定の評価周期内の前記無線リンク測定窓内で、ＤＲＳが検出されなければ、前記ＤＲＳのサブフレームのサブフレーム状態を、前記無線リンク測定窓内のＤＲＳ未検出状態と標識することを含む請求項１に記載の測定方法。
【請求項７】
前記所定の評価周期は、所定値または前記無線リンク測定窓の周期の正整数倍である請求項１に記載の測定方法。
【請求項８】
前記のＤＲＳの基地局による送信成功確率に基づいて、サブフレーム状態が無線リンク測定窓内のＤＲＳ未検出状態であるサブフレームの状態発生理由を確定する前に、
前記サブフレーム状態が無線リンク測定窓内のＤＲＳ未検出状態であるサブフレームに対し判断を行い
ＤＲＳ伝送窓内のサブフレームの一部または全てが、ＣＲＳ検出状態のサブフレームに対応するダウンリンク連続データサブフレームに位置すると、前記無線リンク測定窓内のＤＲＳ未検出状態のサブフレームの状態発生理由が、基地局によるＬＢＴの失敗ではないと確定する請求項１に記載の測定方法。
【請求項９】
ＤＲＳ伝送窓内のサブフレームの一部または全てが、ＣＲＳ検出状態のサブフレームに対応するダウンリンク連続データサブフレームに位置しなければ、ＤＲＳの基地局による送信成功確率に基づいて、サブフレーム状態が無線リンク測定窓内のＤＲＳ未検出状態であるサブフレームの状態発生理由を確定する請求項８に記載の測定方法。
【請求項１０】
ＤＲＳ伝送窓内のサブフレームの一部または全てが、ＣＲＳ検出状態のサブフレームに対応するダウンリンク連続データサブフレームに位置すると、無線リンク測定窓内のＤＲＳ送信未検出状態のサブフレームの状態発生理由が、基地局によるＬＢＴの失敗ではないと確定することは、
ＤＲＳ伝送窓内のサブフレームの一部または全てが、ＤＲＳ伝送窓前または無線リンク測定窓内のＣＲＳ検出状態のサブフレームに対応するダウンリンク連続データサブフレームに位置し、または、
ＤＲＳ伝送窓内のサブフレームの一部または全てが、ＤＲＳ伝送窓後に検出したＣＲＳ送信状態のサブフレームに対応するダウンリンク連続データサブフレームに位置すると、無線リンク測定窓内のＤＲＳ送信未検出状態のサブフレームの状態発生理由が、基地局によるＬＢＴの失敗ではないと確定することを含む請求項８に記載の測定方法。
【請求項１１】
ＤＲＳの基地局による送信成功確率に基づいて、サブフレーム状態が無線リンク測定窓内のＤＲＳ未検出状態であるサブフレームの状態発生理由を確定することは、
前記ＤＲＳの基地局による送信成功確率が所定の確率閾値以上であると、前記無線リンク測定窓内のＤＲＳ未検出状態のサブフレームの状態発生理由が、基地局によるＬＢＴの失敗であると確定することと、
前記ＤＲＳの基地局による送信成功確率が所定の確率閾値より小さくなると、無線リンク測定窓内のＤＲＳ未検出状態のサブフレームの状態発生理由が、基地局によるＬＢＴの失敗ではないと確定することと、を含む請求項１に記載の測定方法。
【請求項１２】
ＤＲＳの基地局による送信成功確率に基づいて、サブフレーム状態が無線リンク測定窓内のＤＲＳ未検出状態であるサブフレームの状態発生理由を確定することは、
所定のルールに基づいて生成される参照値を取得することと、
前記参照値が前記ＤＲＳの基地局による送信成功確率以上であると、前記無線リンク測定窓内のＤＲＳ未検出状態のサブフレームの状態発生理由が、基地局によるＬＢＴの失敗ではないと確定することと、
前記参照値が前記ＤＲＳの基地局による送信成功確率より小さくなると、無線リンク測定窓内のＤＲＳ未検出状態のサブフレームの状態発生理由が、基地局によるＬＢＴの失敗であると確定することと、を含み、
前記参照値は、０以上かつ１以下である請求項１に記載の測定方法。
【請求項１３】
所定の評価周期が同期評価周期であり、所定の検出が同期検出である場合、状態発生理由およびサブフレーム状態に基づいて、所定の評価周期内の無線リンク品質に対し所定の検出を行い、無線リンクの状態を確定することは、
前記同期評価周期内で、ＣＲＳ検出状態のサブフレームの第１ＲＳＲＱおよび無線リンク測定窓内のＤＲＳ未検出状態のサブフレームの状態発生理由が基地局によるＬＢＴの失敗ではないサブフレームの第１参照ＲＳＲＱを取得することと、
前記第１ＲＳＲＱと前記第１参照ＲＳＲＱに基づいて、第１平均ＲＳＲＱを確定することと、
第１平均ＲＳＲＱが所定の同期閾値以上であると、無線リンクの状態が無線リンク同期であると判定することと、を含む請求項１に記載の測定方法。
【請求項１４】
前記第１参照ＲＳＲＱは、前記ＣＲＳ検出閾値より小さい請求項１３に記載の測定方法。
【請求項１５】
所定の評価周期が同期評価周期であり、所定の検出が同期検出である場合、状態発生理由およびサブフレーム状態に基づいて、所定の評価周期内の無線リンク品質に対し所定の検出を行い、無線リンクの状態を確定することは、
同期評価周期内で、ＣＲＳ検出状態のサブフレームの第２ＲＳＲＱ、無線リンク測定窓内のＤＲＳ未検出状態のサブフレームの状態発生理由が基地局によるＬＢＴの失敗ではないサブフレームの第２参照ＲＳＲＱ、および無線リンク測定窓内のＤＲＳ未検出状態のサブフレームの状態発生理由が基地局によるＬＢＴの失敗であるサブフレームの第３参照ＲＳＲＱを取得することと、
前記第２ＲＳＲＱ、前記第２参照ＲＳＲＱおよび前記第３参照ＲＳＲＱに基づいて、第２平均ＲＳＲＱを確定することと、
前記第２平均ＲＳＲＱが所定の同期閾値以上であると、無線リンクの状態が無線リンク同期であると判定することと、を含む請求項１に記載の測定方法。
【請求項１６】
前記第２参照ＲＳＲＱは、前記ＣＲＳ検出閾値より小さく、
前記第３参照ＲＳＲＱは、同期周期内のＣＲＳ検出状態の全てのサブフレームのＲＳＲＱの平均値、または、所定時間内のＣＲＳ検出状態の全てのサブフレームのＲＳＲＱの平均値、または、ＣＲＳ検出閾値以上の一定値である請求項１５に記載の測定方法。
【請求項１７】
無線リンクの状態を確定した後に、
無線リンクの状態が無線リンク同期であると判定すると、無線リンク同期指示を送信することをさらに含み、
無線リンク同期指示が送信される時間間隔は、無線リンク測定窓の周期以上である請求項１に記載の測定方法。
【請求項１８】
無線リンク同期指示を送信することは、
前回の同期指示送信から、ＣＲＳ検出状態のサブフレームと、無線リンク測定窓内のＤＲＳ未検出状態のサブフレームが存在しなければ、同期指示を送信しないことと、
前回の同期指示送信から、ＣＲＳ検出状態のサブフレームと、無線リンク測定窓内のＤＲＳ未検出状態のサブフレームが存在すると、同期指示を送信することと、を含む請求項１７に記載の測定方法。
【請求項１９】
無線リンク同期指示を送信する時間間隔の所定の報告値が端末に設定されている場合、所定の報告値と無線リンク測定窓の周期から、数値の大きい方を選択して、無線リンク同期指示を送信する時間間隔とする請求項１７に記載の測定方法。
【請求項２０】
所定の評価周期が同期はずれ評価周期であり、所定の検出が同期はずれ検出である場合、状態発生理由およびサブフレーム状態に基づいて、所定の評価周期内の無線リンク品質に対し所定の検出を行い、無線リンクの状態を確定することは、
同期はずれ評価周期内で、無線リンク測定窓内のＣＲＳ検出状態のサブフレームの第３ＲＳＲＱおよび無線リンク測定窓内のＤＲＳ未検出状態のサブフレームの状態発生理由が基地局によるＬＢＴの失敗ではないサブフレームの第４参照ＲＳＲＱを取得することと、
前記第３ＲＳＲＱと前記第４参照ＲＳＲＱに基づいて、第３平均ＲＳＲＱを確定することと、
前記第３平均ＲＳＲＱが所定の同期はずれ閾値より小さくなると、無線リンクの状態が無線リンク同期はずれであると判定することと、を含む請求項１に記載の測定方法。
【請求項２１】
前記第４参照ＲＳＲＱは、前記ＣＲＳ検出閾値より小さい請求項２０に記載の測定方法。
【請求項２２】
所定の評価周期が同期はずれ評価周期であり、所定の検出が同期はずれ検出である場合、状態発生理由およびサブフレーム状態に基づいて、所定の評価周期内の無線リンク品質に対し所定の検出を行い、無線リンクの状態を確定することは、
前記同期はずれ評価周期内で、前記無線リンク測定窓内のＣＲＳ検出状態のサブフレームの第４ＲＳＲＱ、無線リンク測定窓内のＤＲＳ未検出状態のサブフレームの状態発生理由が基地局によるＬＢＴの失敗ではないサブフレームの第５参照ＲＳＲＱ、および無線リンク測定窓内のＤＲＳ未検出状態のサブフレームの状態発生理由が基地局によるＬＢＴの失敗であるサブフレームの第６参照ＲＳＲＱを取得することと、
前記第４ＲＳＲＱ、前記第５参照ＲＳＲＱおよび前記第６参照ＲＳＲＱに基づいて、第４平均ＲＳＲＱを確定することと、
前記第４平均ＲＳＲＱが所定の同期はずれ閾値より小さくなると、無線リンクの状態が無線リンク同期はずれであると判定することと、を含む請求項１に記載の測定方法。
【請求項２３】
前記第５参照ＲＳＲＱは、ＣＲＳ検出閾値より小さく、
前記第６参照ＲＳＲＱは、同期はずれ周期内のＣＲＳ検出状態の全てのサブフレームのＲＳＲＱの平均値、または、所定時間内のＣＲＳ検出状態の全てのサブフレームのＲＳＲＱの平均値、または、ＣＲＳ検出閾値以上の一定値である請求項２２に記載の測定方法。
【請求項２４】
無線リンクの状態を確定した後に、
無線リンクの状態が無線リンク同期はずれであると判定すると、無線リンク同期はずれ指示を送信することをさらに含み、
無線リンク同期はずれ指示が送信される時間間隔は、無線リンク測定窓の周期以上である請求項１に記載の測定方法。
【請求項２５】
無線リンク同期はずれ指示を送信する時間間隔の所定の報告値が端末に設定されている場合、所定の報告値と無線リンク測定窓の周期から、数値の大きい方を選択して、無線リンク同期はずれ指示を送信する時間間隔とする請求項２４に記載の測定方法。
【請求項２６】
無線リンク測定窓は、ＤＲＳ伝送窓ＤＴｘＷまたはＤＲＳ測定時間配置ＤＭＴＣ窓、または、ＤＴｘＷまたはＤＭＴＣ窓を含む窓である請求項１〜１２のいずれか一項に記載の測定方法。
【請求項２７】
ディスカバリ参照信号ＤＲＳの基地局による送信成功確率を取得することに用いられる第１取得モジュールと、
所定の評価周期内で各サブフレームのセル参照信号ＣＲＳを検出することによって、各サブフレームについて、ＣＲＳ検出状態と、無線リンク測定窓内のＤＲＳ未検出状態を含むサブフレーム状態を得ることに用いられる状態検出モジュールと、
前記ＤＲＳの基地局による送信成功確率に基づいて、前記サブフレーム状態が無線リンク測定窓内のＤＲＳ未検出状態であるサブフレームの状態発生理由を確定することに用いられる確定モジュールと、
前記状態発生理由およびサブフレーム状態に基づいて、所定の評価周期内の無線リンク品質に対し所定の検出を行い、無線リンクの状態を確定することに用いられるリンク状態確定モジュールと、を含む端末。
【請求項２８】
前記第１取得モジュールは、
基地局から所定の周期内でシステムブロードキャストによって送信されるＤＲＳ送信成功確率を取得することに用いられる第１取得ユニット、または、
基地局からシステムブロードキャストによって送信される、所定の周期内で統計された平均チャネル占用率を取得し、平均チャネル占用率に基づいてＤＲＳの基地局による送信成功確率を確定することに用いられる第２取得ユニットを含む請求項２７に記載の端末。
【請求項２９】
前記第２取得ユニットは、具体的には、
平均チャネル占用率を、ＤＲＳの基地局による送信成功確率とすること、または、
平均チャネル占用率に基づいて、ＤＲＳの基地局による送信成功確率を算出することに用いられる請求項２８に記載の端末。
【請求項３０】
前記状態検出モジュールは、具体的には、
前記所定の評価周期内で、ＣＲＳの参照信号受信品質ＲＳＲＱがＣＲＳ検出閾値以上であると検出すると、検出対象であるサブフレームのサブフレーム状態を、ＣＲＳ検出状態と標識すること、または、
前記所定の評価周期内の無線リンク測定窓内で、ＤＲＳを検出すると、ＤＲＳが検出されたサブフレームのサブフレーム状態を、ＣＲＳ検出状態と標識すること、または、
前記所定の評価周期内の無線リンク測定窓内で、ＤＲＳのサブフレームが検出されなければ、ＤＲＳのサブフレームのサブフレーム状態を、無線リンク測定窓内のＤＲＳ未検出状態と標識することに用いられる請求項２８に記載の端末。
【請求項３１】
サブフレーム状態が無線リンク測定窓内のＤＲＳ未検出状態であるサブフレームに対し判断を行い、
ＤＲＳ伝送窓内のサブフレームの一部または全てが、ＣＲＳ検出状態のサブフレームに対応するダウンリンク連続データサブフレームに位置すると、無線リンク測定窓内のＤＲＳ未検出状態のサブフレームの状態発生理由が、基地局によるＬＢＴの失敗ではないと確定することに用いられる判断モジュールをさらに含む請求項２８に記載の端末。
【請求項３２】
前記判断モジュールは、さらに、
ＤＲＳ伝送窓内のサブフレームの一部または全てが、ＤＲＳ伝送窓前または無線リンク測定窓内のＣＲＳ検出状態のサブフレームに対応するダウンリンク連続データサブフレームに位置し、または、
ＤＲＳ伝送窓内のサブフレームの一部または全てが、ＤＲＳ伝送窓後に検出したＣＲＳ送信状態のサブフレームに対応するダウンリンク連続データサブフレームに位置すると、無線リンク測定窓内のＤＲＳ送信未検出状態のサブフレームの状態発生理由が、基地局によるＬＢＴの失敗ではないと確定することに用いられる請求項３１に記載の端末。
【請求項３３】
前記確定モジュールは、具体的には、
ＤＲＳの基地局による送信成功確率が所定の確率閾値以上であると、無線リンク測定窓内のＤＲＳ未検出状態のサブフレームの状態発生理由が、基地局によるＬＢＴの失敗であると確定し、それ以外の場合、無線リンク測定窓内のＤＲＳ未検出状態のサブフレームの状態発生理由が、基地局によるＬＢＴの失敗ではないと確定することに用いられる請求項２７に記載の端末。
【請求項３４】
前記確定モジュールは、具体的には、
所定のルールに基づいて生成される参照値を取得することと、
前記参照値がＤＲＳの基地局による送信成功確率以上であると、無線リンク測定窓内のＤＲＳ未検出状態のサブフレームの状態発生理由が、基地局によるＬＢＴの失敗ではないと確定し、それ以外の場合、無線リンク測定窓内のＤＲＳ未検出状態のサブフレームの状態発生理由が、基地局によるＬＢＴの失敗であると確定することに用いられ、
参照値は、０以上かつ１以下である請求項２７に記載の端末。
【請求項３５】
所定の評価周期が同期評価周期であり、所定の検出が同期検出である場合、前記リンク状態確定モジュールは、
前記同期評価周期内で、ＣＲＳ検出状態のサブフレームの第１ＲＳＲＱおよび無線リンク測定窓内のＤＲＳ未検出状態のサブフレームの状態発生理由が基地局によるＬＢＴの失敗ではないサブフレームの第１参照ＲＳＲＱを取得することに用いられる第３取得ユニットと、
第１ＲＳＲＱと第１参照ＲＳＲＱに基づいて、第１平均ＲＳＲＱを確定することに用いられる第１確定ユニットと、
第１平均ＲＳＲＱが所定の同期閾値以上であると、無線リンクの状態が無線リンク同期であると判定することに用いられる第１判定ユニットと、を含み、または、
前記リンク状態確定モジュールは、
前記同期評価周期内で、ＣＲＳ検出状態のサブフレームの第２ＲＳＲＱ、無線リンク測定窓内のＤＲＳ未検出状態のサブフレームの状態発生理由が基地局によるＬＢＴの失敗ではないサブフレームの第２参照ＲＳＲＱ、および無線リンク測定窓内のＤＲＳ未検出状態のサブフレームの状態発生理由が基地局によるＬＢＴの失敗であるサブフレームの第３参照ＲＳＲＱを取得することに用いられる第４取得ユニットと、
第２ＲＳＲＱ、第２参照ＲＳＲＱおよび第３参照ＲＳＲＱに基づいて、第２平均ＲＳＲＱを確定することに用いられる第２確定ユニットと、
第２平均ＲＳＲＱが所定の同期閾値以上であると、無線リンクの状態が無線リンク同期であると判定することに用いられる第３判定ユニットと、を含む請求項２７に記載の端末。
【請求項３６】
所定の評価周期が同期はずれ評価周期であり、所定の検出が同期はずれ検出である場合、前記リンク状態確定モジュールは、
前記同期はずれ評価周期内で、無線リンク測定窓内のＣＲＳ検出状態のサブフレームの第３ＲＳＲＱおよび無線リンク測定窓内のＤＲＳ未検出状態のサブフレームの状態発生理由が基地局によるＬＢＴの失敗ではないサブフレームの第４参照ＲＳＲＱを取得することに用いられる第５取得ユニットと、
第３ＲＳＲＱと第４参照ＲＳＲＱに基づいて、第３平均ＲＳＲＱを確定することに用いられる第３確定ユニットと、
第３平均ＲＳＲＱが所定の同期はずれ閾値より小さくなると、無線リンクの状態が無線リンク同期はずれであると判定することに用いられる第３判定ユニットと、を含み、または、
前記リンク状態確定モジュールは、
同期はずれ評価周期内で、無線リンク測定窓内のＣＲＳ検出状態のサブフレームの第４ＲＳＲＱ、無線リンク測定窓内のＤＲＳ未検出状態のサブフレームの状態発生理由が基地局によるＬＢＴの失敗ではないサブフレームの第５参照ＲＳＲＱ、および無線リンク測定窓内のＤＲＳ未検出状態のサブフレームの状態発生理由が基地局によるＬＢＴの失敗であるサブフレームの第６参照ＲＳＲＱを取得することに用いられる第６取得ユニットと、
第４ＲＳＲＱ、第５参照ＲＳＲＱおよび第６参照ＲＳＲＱに基づいて、第４平均ＲＳＲＱを確定することに用いられる第４確定ユニットと、
第４平均ＲＳＲＱが所定の同期はずれ閾値より小さくなると、無線リンクの状態が無線リンク同期はずれであると判定することに用いられる第４判定ユニットと、を含む請求項２７に記載の端末。
【請求項３７】
ディスカバリ参照信号ＤＲＳの基地局による送信成功確率を受信することに用いられる受信機と、
前記受信機に接続され、請求項１〜２６のいずれか一項に記載の方法を実現するプロセッサと、を含む端末。
【発明の詳細な説明】
【優先権情報】
【０００１】
本願は、２０１６年５月２７日に中国特許庁に提出された中国特許出願２０１６１０３６５８７６．５の優先権を主張し、その全ての内容が援用により本願に取り込まれる。
【技術分野】
【０００２】
本開示は、通信技術分野に係り、特に無線リンク品質の測定方法および端末に係る。
【背景技術】
【０００３】
ＬＴＥ（長期的な進化）に基づく新規の無線アクセス技術であるＭｕｌｔｅＦｉｒｅは、ライセンスバンドの搬送波を介さずにアンライセンススペクトルで独立に運行することができる。ＭｕｌｔｅＦｉｒｅは、ＬＴＥをアンライセンススペクトルに拡張させる。アンライセンスバンドのチャネルリソースをＷｉＦｉ機器と公平に競合するために、ＷｉＦｉの搬送波モニタリング技術に類似するリスンビフォートークＬＢＴ（Ｌｉｓｔｅｎ  Ｂｅｆｏｒｅ  Ｔａｌｋ）メカニズムがＭｕｌｔｅＦｉｒｅ物理レイヤに導入されている。基地局または端末は、アンライセンスバンドのチャネルが占用されているとモニタリングし、すなわちＬＢＴが失敗すると、信号送信を停止するが、チャネルが空いているとモニタリングし、すなわちＬＢＴが成功すると、信号を送信する。
【０００４】
ＬＴＥシステムにおいて、各ダウンリンクサブフレームからセル参照信号ＣＲＳ（Ｃｅｌｌ  Ｓｐｅｃｉｆｉｃ  Ｒｅｆｅｒｅｎｃｅ  Ｓｉｇｎａｌ）が送信される。ＣＲＳが検出されない場合、ユーザ端末（ＵＥ）は、当該Ｓａｍｐｌｅのチャネル品質が悪いと判断する。しかし、ＭｕｌｔｅＦｉｒｅシステムにおいて、ディスカバリ参照信号ＤＲＳ（Ｄｉｓｃｏｖｅｒｙ  Ｒｅｆｅｒｅｎｃｅ  Ｓｉｇｎａｌ）が検出されない理由として、基地局がＤＲＳ伝送窓ＤＴｘＷ（ＤＲＳ  Ｔｒａｎｓｍｉｓｓｉｏｎ  Ｗｉｎｄｏｗ）内のＬＢＴ失敗後にＤＲＳを送信しなかった可能性があり、基地局によるＬＢＴの失敗が原因ではなくダウンリンクチャネル品質が悪いためＤＲＳがＵＥに検出されなかった可能性もある。基地局がＤＴｘＷ内のＬＢＴ失敗のためＤＲＳを送信しなかった場合、ＤＲＳ未検出のサブフレームのチャネル品質は、必ず悪いと確定できない。ＤＲＳ未検出のＳａｍｐｌｅは、無線リンク同期検出または無線リンク同期はずれ検出において、考慮すべき要素である。関連技術に基づいて、ＤＲＳ未検出のＳａｍｐｌｅの参照信号受信品質（ＲＳＲＱ）が非常に低いと見なす。これにより、ＵＥが同期はずれ検出または同期検出において評価する受信信号品質は、実際の受信信号品質より低くなる。また、ＭｕｌｔｅＦｉｒｅシステムにおいて、基地局が、ＤＲＳが存在するサブフレームまたはそれ以外の物理ダウンリンク共有チャネル（ＰＤＳＣＨ）送信があるサブフレームのみでＣＲＳを送信し、他のサブフレームでＣＲＳを送信しないため、ＵＥは、無線リンク検出用のＳａｍｐｌｅに任意のサブフレームを用いることができない。関連ＬＴＥシステムにおける方法により、ＵＥによるＭｕｌｔｅＦｉｒｅシステムの無線リンク同期検出、同期はずれ検出の結果が正確ではない。
【発明の概要】
【発明が解決しようとする課題】
【０００５】
本開示が解決しようとする技術課題は、ＭｕｌｔｅＦｉｒｅシステムでは関連ＬＴＥシステムにおける同期はずれ検出または同期検出を用いれば、評価される受信信号品質が実際の受信信号品質より低く、同期はずれ検出または同期検出の結果が正確ではないという問題を解決するために、無線リンク品質の測定方法および端末を提供することである。
【課題を解決するための手段】
【０００６】
上記技術課題を解決するために、本開示の実施例は、無線リンク品質の測定方法を提供する。当該方法において、ディスカバリ参照信号ＤＲＳの基地局による送信成功確率を取得することと、所定の評価周期内で各サブフレームのセル参照信号ＣＲＳを検出することによって、各サブフレームについて、ＣＲＳ検出状態と、無線リンク測定窓内のＤＲＳ未検出状態を含むサブフレーム状態を得ることと、前記ＤＲＳの基地局による送信成功確率に基づいて、前記サブフレーム状態が無線リンク測定窓内のＤＲＳ未検出状態である場合のサブフレームの状態発生理由を確定することと、前記状態発生理由および前記サブフレーム状態に基づいて、前記所定の評価周期内の無線リンク品質に対し所定の検出を行い、無線リンクの状態を確定することと、を含む。
【０００７】
本開示の実施例は、ディスカバリ参照信号ＤＲＳの基地局による送信成功確率を取得することに用いられる第１取得モジュールと、所定の評価周期内で各サブフレームのセル参照信号ＣＲＳを検出することによって、各サブフレームについて、ＣＲＳ検出状態と、無線リンク測定窓内のＤＲＳ未検出状態を含むサブフレーム状態を得ることに用いられる状態検出モジュールと、前記ＤＲＳの基地局による送信成功確率に基づいて、前記サブフレーム状態が無線リンク測定窓内のＤＲＳ未検出状態である場合のサブフレームの状態発生理由を確定することに用いられる確定モジュールと、前記状態発生理由およびサブフレーム状態に基づいて、所定の評価周期内の無線リンク品質に対し所定の検出を行い、無線リンクの状態を確定することに用いられるリンク状態確定モジュールとを含む端末を提供する。
【０００８】
本開示の実施例は、ディスカバリ参照信号ＤＲＳの基地局による送信成功確率を受信することに用いられる受信機と、前記受信機に接続され、本開示の実施例に記載の方法を実現することに用いられるプロセッサとを含む端末をさらに提供する。
【発明の効果】
【０００９】
本開示の実施例の無線リンク品質の測定方法および端末において、まず無線リンク測定窓内のＤＲＳ送信未検出状態のサブフレームの状態発生理由を判定してから無線リンク検出を行うことによって、評価されたＲＳＲＱがより実際のチャネル品質に近づき、同期はずれ検出または同期検出の結果がより正確になる。
【図面の簡単な説明】
【００１０】
図１は、ＭｕｌｔｅＦｉｒｅシステムの同期検出図である。
図２は、ＭｕｌｔｅＦｉｒｅシステムの同期はずれ検出図である。
図３は、本開示の実施例の無線リンク品質の測定方法のフローチャートである。
図４は、本開示の実施例の無線リンク品質の測定方法のフローチャートである。
図５は、無線フレームの伝送状態を示す。
図６Ａは、本開示の実施例の無線リンク品質の測定方法のフローチャートである。
図６Ｂ〜図６Ｃは、本開示の実施例の無線リンク品質の測定方法の１つのステップの詳細なフローである。
図７Ａは、本開示の実施例の無線リンク品質の測定方法のフローチャートである。
図７Ｂ〜図７Ｃは、本開示の実施例の無線リンク品質の測定方法の１つのステップの詳細なフローである。
図８Ａは、本開示の実施例による端末の構造図である。
図８Ｂ〜図８Ｃは、本開示の実施例による端末の１つのモジュールの構造図である。
図９は、本開示の実施例による端末の構造図である。
【発明を実施するための最良の形態】
【００１１】
本開示の目的、技術手段および利点をより明確化するために、以下、図面および具体的な実施例を参照して本開示を詳細に記載する。
【００１２】
関連ＭｕｌｔｅＦｉｒｅシステムでは関連ＬＴＥシステムにおける同期はずれまたは同期検出を用いれば、評価される受信信号品質が実際の受信信号品質より低く、同期はずれまたは同期検出の結果が正確ではないという問題に対し、本開示は、無線リンク品質の測定方法および端末を提供する。
【００１３】
リスンビフォートーク（ＬＢＴ）メカニズムにおける基地局によるダウンリンク共有制御信号の伝送効率を向上させるために、ＭｕｌｔｅＦｉｒｅでは参照信号ＤＲＳが導入されている。ＤＲＳには、主要なダウンリンク共有制御信号が含まれ、システムブロードキャスト、ＰＳＳ（Ｐｒｉｍａｒｙ  Ｓｙｎｃ  Ｓｉｇｎａｌ）、ＳＳＳ（Ｓｅｃｏｎｄａｒｙ  Ｓｙｎｃ  Ｓｉｇｎａｌ）、ｅＰＳＳ（ｅｎｈａｎｃｅｄ  Ｐｒｉｍａｒｙ  Ｓｙｎｃ  Ｓｉｇｎａｌ）、ｅＳＳＳ（ｅｎｈａｎｃｅｄ  Ｓｅｃｏｎｄａｒｙ  Ｓｙｎｃ  Ｓｉｇｎａｌ）およびＣＲＳが含まれている。ＤＲＳは、１つのダウンリンクサブフレームのうちの１２個または１４個のシンボル（Ｓｙｍｂｏｌ）を占用する。ＤＲＳは、ＤＴｘＷにおいて伝送される。基地局は、ＬＢＴが成功すると、ＤＴｘＷ内にＤＲＳを一回送信する。ＤＴｘＷの長さは、１〜１０ｍｓである。ＤＴｘＷが現れる周期は、最小で４０ｍｓであり、かつ必ず４０ｍｓの整数倍である。
【００１４】
ＭｕｌｔｅＦｉｒｅではＤＲＳ測定時間配置ＤＭＴＣ（ＤＲＳ  Ｔｉｍｉｎｇ  Ｃｏｎｆｉｇｕｒａｔｉｏｎ）窓が導入されている。ユーザ端末（ＵＥ）は、周期的に現れるＤＭＴＣ窓においてサービスセルと隣接セルのＣＲＳを測定して無線リンク品質のモニタリング、セルの選択、セルの再選択または切り替えを行う。基地局は、ＭｕｌｔｅＦｉｒｅサービスセル、サービスセルと同一周波数のＭｕｌｔｅＦｉｒｅ隣接セルおよびサービスセルと異なる周波数のＭｕｌｔｅＦｉｒｅ隣接セルに対し独立なＤＭＴＣを配置することができる。ＭｕｌｔｅＦｉｒｅシステムでは、ＤＴｘＷ内のＤＲＳサブフレームでのＣＲＳ送信しか保証されないため、各周波数点およびセルのＤＭＴＣ窓は、対応する周波数点およびセルのＤＴｘＷを含まなければならず、当該周波数点およびセルでのＤＲＳサブフレームのＣＲＳ測定を保証する。ここで、ＤＭＴＣ窓の長さは、１ｍｓ〜１０ｍｓである。ＵＥは、サービスセルのＤＭＴＣ、同一周波数の隣接セルのＤＭＴＣおよび異なる周波数の隣接セルのＤＭＴＣ内のみに無線リンク品質の測定を行う。
【００１５】
ＬＴＥシステムにおいて、基地局は、各ダウンリンクサブフレームでＣＲＳを送信する。各サブフレームは、検出サンプル（Ｓａｍｐｌｅ）に用いられる。端末は、ＣＲＳ信号の参照信号受信品質ＲＳＲＱ（Ｒｅｆｅｒｅｎｃｅ  Ｓｉｇｎａｌ  Ｒｅｃｅｉｖｅ  Ｑｕａｌｉｔｙ）を測定することによってダウンリンクチャネル品質を評価する。同期はずれ検出の場合、ＵＥは、同期はずれ（Ｏｕｔ−ｏｆ−Ｓｙｎｃ）評価周期（例えば２００ｍｓ）内にＣＲＳのＲＳＲＱを測定してＣＲＳの平均ＲＳＲＱを評価する際に、評価結果が所定のダウンリンクチャネルＯｕｔ−Ｏｆ−Ｓｙｎｃ閾値（Ｑｏｕｔ）より低くなると、ダウンリンクチャネルについて同期はずれと判断し、ＵＥ（端末）の物理レイヤからハイレイヤへＯｕｔ−Ｏｆ−Ｓｙｎｃ指示を送信する。同期検出の場合、ＵＥは、同期（ｉｎ−Ｓｙｎｃ）評価周期（例えば１００ｍｓ）内にＣＲＳのＲＳＲＱを測定してＣＲＳの平均ＲＳＲＱを評価する際に、評価結果が所定のダウンリンクチャネルｉｎ−Ｓｙｎｃ閾値（Ｑｉｎ）より高くなると、ダウンリンクチャネルについて同期と判断し、ＵＥの物理レイヤからハイレイヤへＩｎ−Ｓｙｎｃ指示を送信する。
【００１６】
ＵＥの無線リンク測定窓は、通常、ＤＴｘＷ窓またはＤＭＴＣ窓であり、または、ＤＴｘＷ窓またはＤＭＴＣ窓を含む窓である。
【００１７】
しかし、ＭｕｌｔｅＦｉｒｅシステムにおいて、基地局は、ＤＲＳが存在するサブフレームまたはそれ以外の物理ダウンリンク共有チャネルＰＤＳＣＨ（Ｐｈｙｓｉｃａｌ  Ｄｏｗｎｌｉｎｋ  Ｓｈａｒｅｄ  Ｃｈａｎｎｅｌ）送信があるサブフレームのみでＣＲＳを送信するが、他のサブフレームでＣＲＳを送信しない。
【００１８】
図１は、ＭｕｌｔｅＦｉｒｅシステムの同期検出である。同期検出の場合、ＵＥは、Ｉｎ−Ｓｙｎｃ評価周期内でＣＲＳが検出されたＳａｍｐｌｅとＤＲＳが検出されなかったＳａｍｐｌｅのみを考慮する。図２は、ＭｕｌｔｅＦｉｒｅシステムの同期はずれ検出である。同期はずれ検出の場合、Ｏｕｔ−ｏｆ−Ｓｙｎｃｅ周期内で、無線リンク測定窓（ＤＴｘＷまたはＤＭＴＣ）内でＣＲＳが検出されたＳａｍｐｌｅとＤＲＳが検出されなかったＳａｍｐｌｅのみを考慮する。ここで、ＣＲＳが検出されたＳａｍｐｌｅとは、ＣＲＳのＲＳＲＱが指定の検出閾値より高いＳａｍｐｌｅと無線リンク測定窓内でＤＲＳが検出されたＳａｍｐｌｅである。無線リンク測定窓内でＤＲＳが検出されることとは、ＤＴｘＷ内の１つのサブフレームにおいてＤＲＳのＰＳＳ／ＳＳＳとｅＰＳＳ／ｅＳＳＳが検出されることである。無線リンク測定窓内でＤＲＳが検出されなかったこととは、無線リンク測定窓内の各サブフレームにおいていずれもＤＲＳのＰＳＳ／ＳＳＳとｅＰＳＳ／ｅＳＳＳが検出されなかったことである
【００１９】
ＬＴＥシステムにおいて、基地局は、各ダウンリンクサブフレームでＣＲＳを送信する。各サブフレームは、検出サンプルに用いられる。端末は、ＣＲＳ信号のＲＳＲＱを測定することによってダウンリンクチャネル品質を評価する。ＭｕｌｔｅＦｉｒｅシステムにおいても、上記方式でダウンリンクチャネル品質の評価を行う。
【００２０】
図３に示されているように、本開示の実施例による端末の無線リンク品質測定方法は、ステップ３１〜ステップ３４を含む。
【００２１】
ステップ３１において、ディスカバリ参照信号ＤＲＳの基地局による送信成功確率を取得する。
【００２２】
なお、ダウンリンクデータがない場合、基地局は、ＤＴｘＷ内の各サブフレームで短期間のＬＢＴ（Ｃａｔ．２  ＬＢＴ）を行ってＤＲＳ送信を試み、ＤＴｘＷ内のサブフレームにおける前から２つのＳｙｍｂｏｌの２５ミリ秒でチャネルを検出することができる。基地局は、チャネルが占用されていないと検出すると、１２個のＳｙｍｂｏｌを占用するＤＲＳを送信する。ダウンリンクデータがある場合、基地局は、ダウンリンクＰＤＳＣＨ送信時の通常ＬＢＴ（Ｃａｔ．４  ＬＢＴ）の後に、ＰＤＳＣＨを送信するバースト（基地局から連続的に送信されるダウンリンクデータサブフレーム）またはそれに続くサブフレームでＤＲＳを送信する。基地局は、ダウンリンクＰＤＳＣＨの送信前にＣａｔ．４  ＬＢＴを行い、チャネルが占用されていないと検出すると、ＰＤＳＣＨとＣＲＳを送信する。当該ＬＢＴ後のダウンリンクバースト送信時間にＤＴｘＷのサブフレーム０とサブフレーム５が含まれると、基地局は、Ｃａｔ．２  ＬＢＴを行わずに、直接サブフレーム０とサブフレーム５で、１４個のＳｙｍｂｏｌを占用するＤＲＳを一回送信する。基地局は、ＤＴｘＷ内でチャネルの競合に失敗すると、ＤＲＳを送信しない。したがって、基地局によるＤＲＳの送信確率は、基地局がＤＴｘＷ内でチャネルの競合に成功する確率であり、その範囲が０〜１００％である。
【００２３】
ステップ３２において、所定の評価周期内で各サブフレームのセル参照信号ＣＲＳを検出することによって、各サブフレームのサブフレーム状態を得る。サブフレーム状態は、ＣＲＳ検出状態と、無線リンク測定窓内のＤＲＳ未検出状態を含む。
【００２４】
ステップ３２によって、主として、所定の評価周期内の各サブフレームの状態判定が実現される。なお、無線リンク測定窓内のＤＲＳ送信未検出状態のサブフレームとは、無線リンク測定窓内の各サブフレームにおいていずれもＤＲＳのＰＳＳ／ＳＳＳとｅＰＳＳ／ｅＳＳＳが検出されない。
【００２５】
さらに、所定の評価周期は、同期評価周期であってもよく同期はずれ評価周期であってもよい。
【００２６】
ステップ３３において、ＤＲＳの基地局による送信成功確率に基づいて、サブフレーム状態が無線リンク測定窓内のＤＲＳ未検出状態であるサブフレームの状態発生理由を確定する。
【００２７】
なお、状態発生理由は、主に、基地局によるＬＢＴの失敗と、基地局によるＬＢＴの失敗ではないことを指す。
【００２８】
ステップ３４において、状態発生理由およびサブフレーム状態に基づいて、所定の評価周期内の無線リンク品質に対し所定の検出を行い、無線リンクの状態を確定する。
【００２９】
本実施例において、無線リンク測定窓内のＤＲＳ送信未検出のサブフレームの発生理由を明確化してから無線リンクに対し同期検出または同期はずれ検出を行うことによって無線リンクの状態を確定する。このような方式で測定したＲＳＲＱがより実際のチャネル品質に近づき、測定したＲＳＲＱによって無線リンク状態をより正確に判定できるため、同期検出または同期はずれ検出の結果が比較的正確であることを保証する。
【００３０】
図４に示されているように、本開示の実施例による無線リンク品質の測定方法は、ステップ４１〜ステップ４５を含む。
【００３１】
ステップ４１において、ディスカバリ参照信号ＤＲＳの基地局による送信成功確率を取得する。
【００３２】
なお、本ステップにおいて、ＤＲＳの基地局による送信成功確率は、下記２種類の方式で取得される。
【００３３】
方式１：基地局から所定の周期内でシステムブロードキャストによって送信されるＤＲＳ送信成功確率を取得する。
【００３４】
具体的に実現する際に、基地局は、所定の周期内の平均のＤＲＳ送信成功確率をシステムブロードキャストにおいて（例えばｅＳＩＢにおいて）端末に送信し、端末は、基地局からのシステムブロードキャストを受信することによって、ＤＲＳの基地局による送信成功確率を取得する。
【００３５】
方式２：基地局からシステムブロードキャストにおいて送信される、所定の周期内で統計された平均チャネル占用率を取得し、平均チャネル占用率に基づいてＤＲＳの基地局による送信成功確率を確定する。
【００３６】
具体的に実現する際に、基地局は、所定の周期内で統計された平均チャネル占用率をシステムブロードキャストにおいて端末に送信し、端末は、基地局のシステムブロードキャストを受信することによって、基地局から送信される平均チャネル占用率を取得し、平均チャネル占用率をＤＲＳの基地局による送信成功確率とし、または、平均チャネル占用率に基づいて、ＤＲＳの基地局による送信成功確率を算出する。
【００３７】
ステップ４２において、所定の評価周期内で各サブフレームのセル参照信号ＣＲＳを検出することによって、各サブフレームのサブフレーム状態を得る。サブフレーム状態は、ＣＲＳ検出状態と、無線リンク測定窓内のＤＲＳ未検出状態を含む。
【００３８】
なお、本ステップは、下記具体的な実現方式で実現される。所定の評価周期内で、ＣＲＳの参照信号受信品質ＲＳＲＱがＣＲＳ検出閾値以上であると検出すると、検出対象であるサブフレームのサブフレーム状態を、ＣＲＳ検出状態と標識する。所定の評価周期内の無線リンク測定窓内でＤＲＳが検出されると、ＤＲＳが検出されたサブフレームのサブフレーム状態を、ＣＲＳ検出状態と標識する。所定の評価周期内の無線リンク測定窓内で、ＤＲＳのサブフレームが検出されなければ、ＤＲＳのサブフレームのサブフレーム状態を、無線リンク測定窓内のＤＲＳ未検出状態と標識する。
【００３９】
なお、無線リンク測定窓内でＤＲＳが検出されることとは、無線リンク測定窓内の１つのサブフレームにおいてＤＲＳのＰＳＳ／ＳＳＳとｅＰＳＳ／ｅＳＳＳが検出されることである。無線リンク測定窓内でＤＲＳが検出されなかったこととは、無線リンク測定窓内の各のサブフレームにおいていずれもＤＲＳのＰＳＳ／ＳＳＳとｅＰＳＳ／ｅＳＳＳが検出されなかったことである
【００４０】
さらに、当該無線リンク測定窓は、ＤＴｘＷまたはＤＭＴＣ窓であり、または、ＤＴｘＷまたはＤＭＴＣ窓を含む窓である。
【００４１】
ステップ４３において、サブフレーム状態が無線リンク測定窓内のＤＲＳ未検出状態であるサブフレームに対し判断を行う。ＤＴｘＷ内のサブフレームの一部または全てが、ＣＲＳ検出状態のサブフレームに対応するダウンリンク連続データサブフレームに位置すると、無線リンク測定窓内のＤＲＳ未検出状態のサブフレームの状態発生理由が、基地局によるＬＢＴの失敗ではないと確定するが、それ以外の場合、ステップ４４を実行する。
【００４２】
ステップ４３において、ＤＴｘＷ内のサブフレームの一部または全てが、ＣＲＳ検出状態のサブフレームに対応するダウンリンク連続データサブフレームに位置すると、無線リンク測定窓内のＤＲＳ送信未検出状態のサブフレームの状態発生理由が、基地局によるＬＢＴの失敗ではないと確定することは、下記の方式で実現される。
【００４３】
方式１：ＤＴｘＷ内のサブフレームの一部または全てが、ＤＴｘＷ前または無線リンク測定窓内のＣＲＳ検出状態のサブフレームに対応するダウンリンク連続データサブフレームに位置すると、無線リンク測定窓内のＤＲＳ未検出状態のサブフレームの状態発生理由が、基地局によるＬＢＴの失敗ではないと確定する。
【００４４】
なお、ダウンリンクデータがある場合、基地局は、ダウンリンクデータ送信時の通常ＬＢＴ（Ｃａｔ．４  ＬＢＴ）の後に、ＰＤＳＣＨを送信するバーストまたはそれに続くサブフレームにおいてＤＲＳを送信する。基地局は、ＰＤＳＣＨ送信の前にＣａｔ．４  ＬＢＴを行い、チャネルが占用されていないと検出すると、ＰＤＳＣＨとＣＲＳを送信する。当該ＬＢＴ後のダウンリンクバースト送信時間にＤＴｘＷのサブフレーム０またはサブフレーム５が含まれると、基地局は、Ｃａｔ．２  ＬＢＴを行わずに、直接サブフレーム０またはサブフレーム５において、１４個のＳｙｍｂｏｌを占用するＤＲＳを一回送信する。
【００４５】
端末がＣＲＳ状態のサブフレームを検出し、ＤＴｘＷ内の一部または全てのサブフレームが当該ＣＲＳ状態のサブフレームに対応するダウンリンクバーストに位置すると、基地局から当該バーストにおいて直接ＤＲＳを一回送信し、当該無線リンク測定窓内のＤＲＳ送信未検出のサブフレームがＬＢＴ失敗によるものではないと判断できる。ここで、端末は、基地局から送信されるＰＤＣＣＨ信号またはＣ‐ＰＤＣＣＨ信号または他の物理レイヤチャネルから、上記ダウンリンクバーストの開始サブフレームとその長さを取得する。例えば、図５に示されているように、端末が、無線フレームＮのサブフレーム５においてＣＲＳ状態のサブフレームが検出され、次の無線フレームＮ＋１のＤＴｘＷにおいてＤＲＳのサブフレームが検出されていない。端末は、無線フレームＮのサブフレーム５に対応するバーストの開始サブフレームがサブフレーム５であり、長さが８ｍｓであると分かると、当該ＤＴｘＷ内の一部のサブフレームがサブフレーム５に対応するバースト内に位置すると判断し、当該無線リンク測定窓内のＤＲＳ送信未検出のサブフレームのＣＲＳがＬＢＴ失敗によるものではないと確定できる。
【００４６】
特に、端末は、ＤＴｘＷのサブフレーム０の前に連続するＣＲＳ状態のサブフレームを検出し、またはＤＴｘＷのサブフレーム０においてＣＲＳを検出すると、基地局からＤＴｘＷのサブフレーム０においてＤＲＳを送信し、すなわち当該無線リンク測定窓内のＤＲＳ送信未検出のサブフレームがＬＢＴ失敗によるものではないと判断できる。または、端末は、ＤＴｘＷのサブフレーム５の前に連続するＣＲＳ状態のサブフレームを検出し、またはＤＴｘＷのサブフレーム０においてＣＲＳを検出すると、基地局からＤＴｘＷのサブフレーム０においてＤＲＳを送信し、すなわち当該無線リンク測定窓内のＤＲＳ送信未検出のサブフレームのＣＲＳがＬＢＴ失敗によるものではないと判断できる。
【００４７】
方式２：ＤＴｘＷ内のサブフレームの一部または全てが、ＤＴｘＷ後に検出したＣＲＳ送信状態のサブフレームに対応するダウンリンク連続データサブフレームに位置すると、無線リンク測定窓内のＤＲＳ送信未検出状態のサブフレームの状態発生理由が、基地局によるＬＢＴの失敗ではないと確定する。
【００４８】
具体的には、基地局が充分に短い時間でＬＢＴを再度行う確率が比較的低いため、ＤＴｘＷ後の所定時間内（例えば４個のサブフレーム）にＣＲＳのサブフレームを検出すると、端末は、ＤＴｘＷのサブフレームの一部または全てと、当該ＣＲＳが検出されたサブフレームとは、同一のＬＢＴ成功プロセスに対応するバースト内に位置し、当該無線リンク測定窓内のＤＲＳ送信未検出のサブフレームがＬＢＴ失敗によるものではないと判断できる。
【００４９】
ステップ４４において、ＤＲＳの基地局による送信成功確率に基づいて、サブフレーム状態が無線リンク測定窓内のＤＲＳ未検出状態であるサブフレームの状態発生理由を確定する。
【００５０】
状態発生理由は、主に、基地局によるＬＢＴの失敗と、基地局によるＬＢＴの失敗ではないことを指す。
【００５１】
当該ステップ４４は、下記方式で実現される。
方式１：ＤＲＳの基地局による送信成功確率が所定の確率閾値以上であると、無線リンク測定窓内のＤＲＳ未検出状態のサブフレームの状態発生理由が、基地局によるＬＢＴの失敗であると確定する。それ以外の場合、無線リンク測定窓内のＤＲＳ未検出状態のサブフレームの状態発生理由が、基地局によるＬＢＴの失敗ではないと確定する。
方式２：所定のルールに基づいて生成される参照値（０以上かつ１以下）を取得する。なお、参照値は、端末が０〜１００％の範囲で均一分布のルールに従って作成したランダム数である。
【００５２】
参照値がＤＲＳの基地局による送信成功確率以上であると、無線リンク測定窓内のＤＲＳ未検出状態のサブフレームの状態発生理由が、基地局によるＬＢＴの失敗ではない結果を得る。それ以外の場合、無線リンク測定窓内のＤＲＳ未検出状態のサブフレームの状態発生理由が、基地局によるＬＢＴの失敗である結果を得る。
【００５３】
ステップ４５において、状態発生理由およびサブフレーム状態に基づいて、所定の評価周期内の無線リンク品質に対し所定の検出を行い、無線リンクの状態を確定する。
【００５４】
本実施例の方式によれば、無線リンク測定窓内のＤＲＳ送信未検出のサブフレームの発生理由を明確化してから無線リンクに対し同期検出または同期はずれ検出を行うことにより、無線リンクの状態を確定する。このような方式で測定したＲＳＲＱがより実際送信のＲＳＲＱに近づき、測定したＲＳＲＱによって無線リンク状態をより正確に判定できるため、同期検出または同期はずれ検出の結果が正確であることを保証する。
【００５５】
以下、同期検出と同期はずれ検出の検出方式を別々の実施例で説明する。
【００５６】
同期評価周期内で同期検出を行う場合、図６Ａに示されているように、本開示の実施例の無線リンク品質の測定方法は、ステップ６１〜ステップ６４を含む。
【００５７】
ステップ６１において、ディスカバリ参照信号ＤＲＳの基地局による送信成功確率を取得する。
【００５８】
ステップ６２において、同期評価周期内で各サブフレームのセル参照信号ＣＲＳを検出することによって、各サブフレームのサブフレーム状態を得る。サブフレーム状態は、ＣＲＳ検出状態と、無線リンク測定窓内のＤＲＳ未検出状態を含む。
【００５９】
ステップ６３において、ＤＲＳの基地局による送信成功確率に基づいて、サブフレーム状態が無線リンク測定窓内のＤＲＳ未検出状態であるサブフレームの状態発生理由を確定する。
【００６０】
なお、上記ステップ６１〜ステップ６３は、図４に示す実施例と同一の実現方式を用いる。
【００６１】
ステップ６４において、状態発生理由およびサブフレーム状態に基づいて、同期評価周期内の無線リンク品質に対し同期検出を行い、無線リンクの状態を確定する。
【００６２】
具体的には、ステップ６４の第１の具体的な実現方式は、同期評価周期内で、ＣＲＳ検出状態のサブフレームの第１ＲＳＲＱおよび無線リンク測定窓内のＤＲＳ未検出状態のサブフレームの状態発生理由が基地局によるＬＢＴの失敗ではないサブフレームの第１参照ＲＳＲＱを取得するステップ６４１と、第１ＲＳＲＱと第１参照ＲＳＲＱに基づいて、第１平均ＲＳＲＱを確定するステップ６４２と、第１平均ＲＳＲＱが所定の同期閾値以上であると、無線リンクの状態が無線リンク同期であると判定するステップ６４３を含む。
【００６３】
なお、第１ＲＳＲＱは、実際に測定したＲＳＲＱである。第１参照ＲＳＲＱは、測定できず、端末によって設定される仮想値であって、ＣＲＳ検出閾値より小さい。
【００６４】
当該実現方式において、第１ＲＳＲＱと第１参照ＲＳＲＱとの平均ＲＳＲＱを求め、当該平均ＲＳＲＱと所定の同期閾値を比較することによって、無線リンクが同期状態であるかを確定することができる。
【００６５】
ステップ６４の第２の具体的な実現方式は、同期評価周期内で、ＣＲＳ検出状態のサブフレームの第２ＲＳＲＱ、無線リンク測定窓内のＤＲＳ未検出状態のサブフレームの状態発生理由が基地局によるＬＢＴの失敗ではないサブフレームの第２参照ＲＳＲＱ、および無線リンク測定窓内のＤＲＳ未検出状態のサブフレームの状態発生理由が基地局によるＬＢＴの失敗であるサブフレームの第３参照ＲＳＲＱを取得するステップ６４４と、第２ＲＳＲＱ、第２参照ＲＳＲＱおよび第３参照ＲＳＲＱに基づいて、第２平均ＲＳＲＱを確定するステップ６４５と、第２平均ＲＳＲＱが所定の同期閾値以上であると、無線リンクの状態が無線リンク同期であると判定するステップ６４６とを含む。
【００６６】
なお、当該第２ＲＳＲＱは、実際に測定したＲＳＲＱである。第２参照ＲＳＲＱは、測定できないため、端末によって設定される仮想値であって、ＣＲＳ検出閾値より小さい。当該第３参照ＲＳＲＱは、同期周期内のＣＲＳ検出状態の全てのサブフレームのＲＳＲＱの平均値（方法１）、または、所定時間内のＣＲＳ検出状態の全てのサブフレームのＲＳＲＱの平均値（方法２）、または、ＣＲＳ検出閾値以上の一定値である（方法３）。
【００６７】
なお、具体的な実現において、以上３種類の方法を組み合わせて第３参照ＲＳＲＱを設定してもよい。例えば、端末は、当該無線リンク測定窓内のＣＲＳが検出されたサブフレームの数が第１指定閾値より大きいと判断すると、方法２で第３参照ＲＳＲＱを設定する。それ以外の場合、端末は、さらに、同期評価周期においてＣＲＳが検出されたサブフレームの数が第２指定閾値より大きくなるかを判断し、大きくなる場合、方法１で第３参照ＲＳＲＱを設定するが、小さくなる場合、方法３で第３参照ＲＳＲＱを設定する。
【００６８】
なお、無線リンクの状態が無線リンク同期であると判定すると、測定方法において、無線リンク同期指示を送信することをさらに含む。ここで、無線リンク同期指示が送信される時間間隔は、無線リンク測定窓の周期以上である。
【００６９】
さらに、前回の同期指示送信から、ＣＲＳ検出状態のサブフレームと、無線リンク測定窓内のＤＲＳ未検出状態のサブフレームが存在しなければ、同期指示を送信しないが、それ以外の場合、同期指示を送信する。
【００７０】
非ＤＲＸ（連続受信）方式では、同期検出の場合、ＵＥが同期評価周期（１００ｍｓ）内でＣＲＳのＲＳＲＱを測定してＣＲＳの平均ＲＳＲＱを評価する。評価結果が所定のダウンリンクチャネル同期閾値（Ｑｉｎ）より高くなると、ダウンリンクチャネルについて同期と判断し、端末の物理レイヤからハイレイヤへ同期指示が送信される。端末は、１０ｍｓごとに同期評価周期内の平均ＲＳＲＱを再計算する。端末の物理レイヤから同期指示を報告する間隔は、最小で１０ｍｓである。
【００７１】
ＤＲＸ（非連続受信）方式では、端末の同期評価周期は、ＤＲＸ周期の整数倍である。端末は、ＤＲＸ周期おきに同期評価周期内の平均ＲＳＲＱを再計算する。端末の物理レイヤから同期指示を報告する最小間隔は、１０ｍｓとＤＲＸ周期のうちの大きいほうである。
【００７２】
しかし、ＭｕｌｔｅＦｉｒｅシステムにおいて、基地局は、ＤＲＳが存在するサブフレームまたはそれ以外のＰＤＳＣＨ送信があるサブフレームのみにおいてＣＲＳを送信するが、他のサブフレームにおいてＣＲＳを送信しない。関連技術を用いれば、端末は、１０ｍｓまたはＤＲＸ周期おきに同期評価周期内の平均ＲＳＲＱを再計算し、１０ｍｓまたはＤＲＸ周期を物理レイヤから同期指示を報告する最小間隔とする。１０ｍｓ内またはＤＲＸ周期内でいずれのＣＲＳのサブフレームも端末に検出されない可能性があるため、端末から同一の同期指示が必要以上複数回に報告されるので、端末のハイレイヤによる間違った無線リンク同期判断結果を引き起こす。
【００７３】
ＭｕｌｔｅＦｉｒｅシステムにおいて、端末は、同期検出中において、無線リンク測定窓内でＤＲＳが検出されるかに関わらず、無線リンク測定窓内のＤＲＳのサブフレームが用いられるため、本実施例において、同期評価周期を無線リンク測定窓の周期の整数倍に設定する。ＭｕｌｔｅＦｉｒｅシステムにおける端末は、無線リンク測定窓の周期おきに、同期評価周期内の平均ＲＳＲＱを再計算する。端末の物理レイヤから同期指示を報告する最小間隔は、無線リンク測定窓の周期である。または、さらに端末の物理レイヤから同期指示を報告する間隔を、最小の無線リンク測定窓（例えば、ＭｕｌｔｅＦｉｒｅにおいて最小の無線リンク測定窓が４０ミリ秒である。）と設定する。
【００７４】
さらに、異なる同期評価周期を設定してもよい。同期評価周期を一定周期または無線リンク測定窓の周期の整数倍に設定してもよい。
【００７５】
具体的には、表１に示されているように、無線リンク測定窓の周期によっては同期評価周期を無線リンク測定窓の周期の整数倍に設定する。
【００７６】
【表１】
2019522405.tif 000003
【００７７】
または、表２に示されているように、無線リンク測定窓の周期によっては同期評価周期を一定周期または無線リンク測定窓の周期の整数倍に設定する。
【００７８】
【表２】
2019522405.tif 000004
【００７９】
同期はずれ評価周期内で同期はずれ検出を行う場合、図７Ａに示されているように、本開示の実施例の無線リンク品質の測定方法、ステップ７１〜ステップ７４を含む。
【００８０】
ステップ７１において、ディスカバリ参照信号ＤＲＳの基地局による送信成功確率を取得する。
【００８１】
ステップ７２において、同期はずれ評価周期内で各サブフレームのセル参照信号ＣＲＳを検出することによって、各サブフレームのサブフレーム状態を得る。サブフレーム状態は、ＣＲＳ検出状態と、無線リンク測定窓内のＤＲＳ未検出状態を含む。
【００８２】
ステップ７３において、ＤＲＳの基地局による送信成功確率に基づいて、サブフレーム状態が無線リンク測定窓内のＤＲＳ未検出状態であるサブフレームの状態発生理由を確定する。
【００８３】
なお、上記ステップ７１〜ステップ７３は、図４に示す実施例と同一の実現方式を用いる。
【００８４】
ステップ７４において、状態発生理由およびサブフレーム状態に基づいて、同期はずれ評価周期内の無線リンク品質に対し同期はずれ検出を行い、無線リンクの状態を確定する。
【００８５】
具体的には、ステップ７４の第１の具体的な実現方式は、同期はずれ評価周期内で、無線リンク測定窓内のＣＲＳ検出状態のサブフレームの第３ＲＳＲＱおよび無線リンク測定窓内のＤＲＳ未検出状態のサブフレームの状態発生理由が基地局によるＬＢＴの失敗ではないサブフレームの第４参照ＲＳＲＱを取得するステップ７４１と、第３ＲＳＲＱと第４参照ＲＳＲＱに基づいて、第３平均ＲＳＲＱを確定するステップ７４２と、第３平均ＲＳＲＱが所定の同期はずれ閾値より小さくなると、無線リンクの状態が無線リンク同期はずれであると判定するステップ７４３とを含む。
【００８６】
なお、第３ＲＳＲＱは、実際に測定するＲＳＲＱである。第４参照ＲＳＲＱは、測定できず、端末によって設定される仮想値であって、ＣＲＳ検出閾値より小さい。
【００８７】
当該実現方式において、第３ＲＳＲＱと第４参照ＲＳＲＱとの平均ＲＳＲＱを求め、当該平均ＲＳＲＱと所定の同期はずれ閾値を比較することによって、無線リンクが同期はずれ状態であるかを確定することができる。
【００８８】
ステップ７４の第２の具体的な実現方式は、同期はずれ評価周期内で、無線リンク測定窓内のＣＲＳ検出状態のサブフレームの第４ＲＳＲＱ、無線リンク測定窓内のＤＲＳ未検出状態のサブフレームの状態発生理由が基地局によるＬＢＴの失敗ではないサブフレームの第５参照ＲＳＲＱ、および無線リンク測定窓内のＤＲＳ未検出状態のサブフレームの状態発生理由が基地局によるＬＢＴの失敗であるサブフレームの第６参照ＲＳＲＱを取得するステップ７４４と、第４ＲＳＲＱ、第５参照ＲＳＲＱおよび第６参照ＲＳＲＱに基づいて、第４平均ＲＳＲＱを確定するステップ７４５と、第４平均ＲＳＲＱが所定の同期はずれ閾値より小さくなると、無線リンクの状態が無線リンク同期はずれであると判定するステップ７４６とを含む。
【００８９】
なお、当該第４ＲＳＲＱは、実際に測定するＲＳＲＱである。第５参照ＲＳＲＱは、測定できず、端末によって設定される仮想値であって、ＣＲＳ検出閾値より小さい。当該第６参照ＲＳＲＱは、同期はずれ周期内のＣＲＳ検出状態の全てのサブフレームのＲＳＲＱの平均値（方法１）、または、所定時間内のＣＲＳ検出状態の全てのサブフレームのＲＳＲＱの平均値（方法２）、または、ＣＲＳ検出閾値以上の一定値である（方法３）。
【００９０】
なお、具体的な実現において、以上３種類の方法を組み合わせて第６参照ＲＳＲＱを設定してもよい。例えば、端末は、当該無線リンク測定窓内のＣＲＳが検出されたサブフレームの数が第１指定閾値より大きいと判断すると、方法２で第６参照ＲＳＲＱを設定する。それ以外の場合、端末は、さらに、同期はずれ評価周期内でＣＲＳが検出されたサブフレームの数が第２指定閾値より大きくなるかを判断し、大きくなる場合、方法１で第６参照ＲＳＲＱを設定するが、大きくならない場合、方法３で第６参照ＲＳＲＱを設定する。
【００９１】
なお、測定方法において、無線リンクの状態が無線リンク同期はずれであると判定すると、無線リンク同期はずれ指示を送信することをさらに含む。ここで、無線リンク同期はずれ指示が送信される時間間隔は、無線リンク測定窓の周期以上である。
【００９２】
図６Ａに示す実施例の同期検出に類似するが、ＭｕｌｔｅＦｉｒｅシステムにおいて、基地局は、ＤＲＳが存在するサブフレームまたはそれ以外のＰＤＳＣＨ送信があるサブフレームのみにおいてＣＲＳを送信するが、他のサブフレームにおいてＣＲＳを送信しない。関連技術を用いれば、端末は、１０ｍｓまたはＤＲＸ周期おきに同期はずれ評価周期内の平均ＲＳＲＱを再計算し、１０ｍｓまたはＤＲＸ周期を物理レイヤから同期はずれ指示を報告する最小間隔とする。１０ｍｓ内またはＤＲＸ周期内でいずれのＣＲＳのサブフレームも端末に検出されない可能性があるため、端末から同一の同期はずれ指示が必要以上複数回に報告されるので、端末のハイレイヤによる間違った無線リンク同期はずれ判断結果を引き起こす。
【００９３】
ＭｕｌｔｅＦｉｒｅシステムにおいて、端末は、同期はずれ検出中において、無線リンク測定窓内でＤＲＳが検出されるかに関わらず、無線リンク測定窓内のＤＲＳのサブフレームが用いられるため、本実施例において、同期はずれ評価周期を無線リンク測定窓の周期の整数倍に設定する。ＭｕｌｔｅＦｉｒｅシステムにおける端末は、無線リンク測定窓の周期おきに、同期はずれ評価周期内の平均ＲＳＲＱを再計算する。端末の物理レイヤから同期はずれ指示を報告する間隔は、最小で無線リンク測定窓の周期である。
【００９４】
さらに、異なる同期はずれ評価周期を設定してもよい。同期はずれ評価周期を一定周期または無線リンク測定窓の周期の整数倍に設定してもよい。
【００９５】
具体的には、表３に示されているように、無線リンク測定窓の周期によっては同期はずれ評価周期を無線リンク測定窓の周期の整数倍に設定する。
【００９６】
【表３】
2019522405.tif 000005
【００９７】
または、表４に示されているように、無線リンク測定窓の周期によっては同期はずれ評価周期を一定周期または無線リンク測定窓の周期の整数倍に設定する。
【００９８】
【表４】
2019522405.tif 000006
【００９９】
なお、端末の同期検出と同期はずれ検出方式が同時に存在するため、図６Ａに示す実施例と図７Ａに示す実施例における第１参照ＲＳＲＱと第４参照ＲＳＲＱは、同一の値に設定されてもよく、異なる値に設定されてもよい。第２参照ＲＳＲＱと第５参照ＲＳＲＱは、同一の値に設定されてもよく、異なる値に設定されてもよい。
【０１００】
本開示の以上の実施例によると、端末は、基地局によるＤＴｘＷ内のチャネル競合の成功確率に基づいて、ＤＲＳ未検出のサブフレームについて、基地局がＬＢＴに失敗しＤＲＳを送信しなかったことによるものか、チャネル品質が悪いことによるものかを判断する。基地局のＤＲＳ送信確率をＡ％とし、ＤＴｘＷ内でＤＲＳサブフレームが端末に検出されない場合、基地局のＬＢＴ失敗によるものではないサブフレームを、基地局のＬＢＴ失敗によるサブフレームに誤判断する確率は、Ａ％＊（１−Ａ％）になり、基地局のＬＢＴ失敗によるサブフレームを、基地局のＬＢＴ失敗によるものではないサブフレームに誤判断する確率は、（１−Ａ％）＊Ａ％になる。以上２種類の誤判断の確率が同一であるため、ＤＲＳ未検出サブフレームの仮想ＲＳＲＱの平均をとることによって、両者は、相殺される。さらに、端末は、ＣＲＳが検出されたサブフレームの平均ＲＳＲＱに基づいて、基地局のＬＢＴ失敗によるＤＲＳ未検出サブフレームの仮想ＲＳＲＱを設定する。関連技術に比較すると、端末は、基地局のＬＢＴ失敗によるＤＲＳ未検出サブフレームのＲＳＲＱをより正確に推定できる。基地局が、ＤＲＳが存在するサブフレームまたはそれ以外のＰＤＳＣＨ送信があるサブフレームのみにおいてＣＲＳを送信して他のサブフレームにおいてＣＲＳを送信しないという特性に対し、本開示において、物理レイヤが同期／同期はずれを再測定する間隔と、同期／同期はずれを報告する間隔とを無線リンク測定窓の周期とする。本開示によれば、端末による同期検出または同期はずれ検出におけるＣＲＳの平均ＲＳＲＱ評価結果が実際状況に非常に近づき、同期または同期はずれ検出の結果がより正確になる。
【０１０１】
図８に示されているように、本開示の実施例による端末は、ディスカバリ参照信号ＤＲＳの基地局による送信成功確率を取得することに用いられる第１取得モジュール８１と、所定の評価周期内で各サブフレームのセル参照信号ＣＲＳを検出することによって、各サブフレームについて、ＣＲＳ検出状態と、無線リンク測定窓内のＤＲＳ未検出状態を含むサブフレーム状態を得ることに用いられる状態検出モジュール８２と、ＤＲＳの基地局による送信成功確率に基づいて、サブフレーム状態が無線リンク測定窓内のＤＲＳ未検出状態であるサブフレームの状態発生理由を確定することに用いられる確定モジュール８３と、状態発生理由およびサブフレーム状態に基づいて、所定の評価周期内の無線リンク品質に対し所定の検出を行い、無線リンクの状態を確定することに用いられるリンク状態確定モジュール８４とを含む端末。
【０１０２】
選択可能に、第１取得モジュール８１は、基地局から所定の周期内でシステムブロードキャストによって送信されるＤＲＳ送信成功確率を取得することに用いられる第１取得ユニット８１１、または、基地局からシステムブロードキャストによって送信される所定の周期内で統計された平均チャネル占用率を取得し、平均チャネル占用率に基づいてＤＲＳの基地局による送信成功確率を確定することに用いられる第２取得ユニット８１２を含む。
【０１０３】
さらに、第２取得ユニットは、具体的には、平均チャネル占用率を、ＤＲＳの基地局による送信成功確率とすること、または、平均チャネル占用率に基づいて、ＤＲＳの基地局による送信成功確率を算出することに用いられる。
【０１０４】
選択可能に、状態検出モジュール８２は、具体的には、所定の評価周期内で、ＣＲＳの参照信号受信品質ＲＳＲＱがＣＲＳ検出閾値以上であると検出すると、検出対象であるサブフレームのサブフレーム状態を、ＣＲＳ検出状態と標識する。
【０１０５】
選択可能に、状態検出モジュール８２は、具体的には、所定の評価周期内の無線リンク測定窓内で、ＤＲＳが検出されると、ＤＲＳが検出されたサブフレームのサブフレーム状態を、ＣＲＳ検出状態と標識する。
【０１０６】
選択可能に、状態検出モジュール８２は、具体的には、所定の評価周期内の無線リンク測定窓内で、ＤＲＳのサブフレームが検出されなければ、ＤＲＳのサブフレームのサブフレーム状態を、無線リンク測定窓内のＤＲＳ未検出状態と標識する。
【０１０７】
なお、所定の評価周期は、所定値または無線リンク測定窓の周期の正整数倍である。
【０１０８】
選択可能に、端末は、サブフレーム状態が無線リンク測定窓内のＤＲＳ未検出状態であるサブフレームに対し判断を行い、即ち、ＤＲＳ伝送窓内のサブフレームの一部または全てが、ＣＲＳ検出状態のサブフレームに対応するダウンリンク連続データサブフレームに位置すると、無線リンク測定窓内のＤＲＳ未検出状態のサブフレームの状態発生理由が、基地局によるＬＢＴの失敗ではないと確定することに用いられる判断モジュールをさらに含む。
【０１０９】
ＤＲＳ伝送窓内のサブフレームの一部または全てが、ＣＲＳ検出状態のサブフレームに対応するダウンリンク連続データサブフレームに位置しなければ、確定モジュール８３は、ＤＲＳの基地局による送信成功確率に基づいて、サブフレーム状態が無線リンク測定窓内のＤＲＳ未検出状態であるサブフレームの状態発生理由を確定する。
【０１１０】
具体的には、判断モジュールは、ＤＲＳ伝送窓内のサブフレームの一部または全てが、ＤＲＳ伝送窓前または無線リンク測定窓内のＣＲＳ検出状態のサブフレームに対応するダウンリンク連続データサブフレームに位置し、または、ＤＲＳ伝送窓内のサブフレームの一部または全てが、ＤＲＳ伝送窓後に検出したＣＲＳ送信状態のサブフレームに対応するダウンリンク連続データサブフレームに位置すると、無線リンク測定窓内のＤＲＳ送信未検出状態のサブフレームの状態発生理由が、基地局によるＬＢＴの失敗ではないと確定することに用いられる。
【０１１１】
選択可能に、確定モジュール８３は、具体的には、ＤＲＳの基地局による送信成功確率が所定の確率閾値以上であると、無線リンク測定窓内のＤＲＳ未検出状態のサブフレームの状態発生理由が、基地局によるＬＢＴの失敗であると確定し、それ以外の場合、無線リンク測定窓内のＤＲＳ未検出状態のサブフレームの状態発生理由が、基地局によるＬＢＴの失敗ではないと確定することに用いられる。
【０１１２】
選択可能に、確定モジュール８３は、具体的には、所定のルールに基づいて生成される参照値（０以上かつ１以下）を取得することと、参照値がＤＲＳの基地局による送信成功確率以上であると、無線リンク測定窓内のＤＲＳ未検出状態のサブフレームの状態発生理由が、基地局によるＬＢＴの失敗ではないと確定し、それ以外の場合、無線リンク測定窓内のＤＲＳ未検出状態のサブフレームの状態発生理由が、基地局によるＬＢＴの失敗であると確定することに用いられる。
【０１１３】
選択可能に、所定の評価周期が同期評価周期であり、所定の検出が同期検出である場合、リンク状態確定モジュール８４は、同期評価周期内で、ＣＲＳ検出状態のサブフレームの第１ＲＳＲＱおよび無線リンク測定窓内のＤＲＳ未検出状態のサブフレームの状態発生理由が基地局によるＬＢＴの失敗ではないサブフレームの第１参照ＲＳＲＱを取得することに用いられる第３取得ユニットと、第１ＲＳＲＱと第１参照ＲＳＲＱに基づいて、第１平均ＲＳＲＱを確定することに用いられる第１確定ユニットと、第１平均ＲＳＲＱが所定の同期閾値以上であると、無線リンクの状態が無線リンク同期であると判定することに用いられる第１判定ユニットとを含み、または、同期評価周期内で、ＣＲＳ検出状態のサブフレームの第２ＲＳＲＱ、無線リンク測定窓内のＤＲＳ未検出状態のサブフレームの状態発生理由が基地局によるＬＢＴの失敗ではないサブフレームの第２参照ＲＳＲＱ、および無線リンク測定窓内のＤＲＳ未検出状態のサブフレームの状態発生理由が基地局によるＬＢＴの失敗であるサブフレームの第３参照ＲＳＲＱを取得することに用いられる第４取得ユニットと、第２ＲＳＲＱ、第２参照ＲＳＲＱおよび第３参照ＲＳＲＱに基づいて、第２平均ＲＳＲＱを確定することに用いられる第２確定ユニットと、第２平均ＲＳＲＱが所定の同期閾値以上であると、無線リンクの状態が無線リンク同期であると判定することに用いられる第３判定ユニットとを含む。
【０１１４】
ここで、第１参照ＲＳＲＱと第２参照ＲＳＲＱは、ＣＲＳ検出閾値より小さい。第３参照ＲＳＲＱは、同期周期内のＣＲＳ検出状態の全てのサブフレームのＲＳＲＱの平均値、または、所定時間内のＣＲＳ検出状態の全てのサブフレームのＲＳＲＱの平均値、または、ＣＲＳ検出閾値以上の一定値である。
【０１１５】
端末は、無線リンクの状態が無線リンク同期であると判定すると、無線リンク同期指示を送信することに用いられる同期指示送信モジュールをさらに含む。ここで、無線リンク同期指示が送信される時間間隔は、無線リンク測定窓の周期以上である。
【０１１６】
選択可能に、無線リンク同期指示を送信する時間間隔の所定の報告値が端末に設定されている場合、所定の報告値と無線リンク測定窓の周期から、数値の大きい方を選択して、無線リンク同期指示を送信する時間間隔とする。
【０１１７】
選択可能に、同期指示送信モジュールは、具体的には、前回の同期指示送信から、ＣＲＳ検出状態のサブフレームと、無線リンク測定窓内のＤＲＳ未検出状態のサブフレームが存在しなければ、同期指示を送信しないことと、それ以外の場合、同期指示を送信することに用いられる。
【０１１８】
選択可能に、所定の評価周期が同期はずれ評価周期であり、所定の検出が同期はずれ検出である場合、リンク状態確定モジュール８４は、同期はずれ評価周期内で、無線リンク測定窓内のＣＲＳ検出状態のサブフレームの第３ＲＳＲＱおよび無線リンク測定窓内のＤＲＳ未検出状態のサブフレームの状態発生理由が基地局によるＬＢＴの失敗ではないサブフレームの第４参照ＲＳＲＱを取得することに用いられる第５取得ユニットと、第３ＲＳＲＱと第４参照ＲＳＲＱに基づいて、第３平均ＲＳＲＱを確定することに用いられる第３確定ユニットと、第３平均ＲＳＲＱが所定の同期はずれ閾値より小さくなると、無線リンクの状態が無線リンク同期はずれであると判定することに用いられる第３判定ユニットとを含み、または、同期はずれ評価周期内で、無線リンク測定窓内のＣＲＳ検出状態のサブフレームの第４ＲＳＲＱ、無線リンク測定窓内のＤＲＳ未検出状態のサブフレームの状態発生理由が基地局によるＬＢＴの失敗ではないサブフレームの第５参照ＲＳＲＱ、および無線リンク測定窓内のＤＲＳ未検出状態のサブフレームの状態発生理由が基地局によるＬＢＴの失敗であるサブフレームの第６参照ＲＳＲＱを取得することに用いられる第６取得ユニットと、第４ＲＳＲＱ、第５参照ＲＳＲＱおよび第６参照ＲＳＲＱに基づいて、第４平均ＲＳＲＱを確定することに用いられる第４確定ユニットと、第４平均ＲＳＲＱが所定の同期はずれ閾値より小さくなると、無線リンクの状態が無線リンク同期はずれであると判定することに用いられる第４判定ユニットとを含む。
【０１１９】
ここで、第４参照ＲＳＲＱと第５参照ＲＳＲＱは、ＣＲＳ検出閾値より小さい。第６参照ＲＳＲＱは、同期はずれ周期内のＣＲＳ検出状態の全てのサブフレームのＲＳＲＱの平均値、または、所定時間内のＣＲＳ検出状態の全てのサブフレームのＲＳＲＱの平均値、または、ＣＲＳ検出閾値以上の一定値である。
【０１２０】
端末は、無線リンクの状態が無線リンク同期はずれであると判定すると、無線リンク同期はずれ指示を送信することに用いられる同期はずれ指示送信モジュールをさらに含む。ここで、無線リンク同期はずれ指示が送信される時間間隔は、無線リンク測定窓の周期以上である。
【０１２１】
選択可能に、無線リンク同期はずれ指示を送信する時間間隔の所定の報告値が端末に設定されている場合、所定の報告値と無線リンク測定窓の周期から、数値の大きい方を選択して、無線リンク同期はずれ指示を送信する時間間隔とする。
【０１２２】
なお、本開示に記載の無線リンク測定窓は、ＤＴｘＷまたはＤＭＴＣ窓であり、または、ＤＴｘＷまたはＤＭＴＣ窓を含む窓である。
【０１２３】
本開示の当該端末の実施例は、上記測定方法の実施例に対応する端末である。上記測定方法の実施例における全ての実現手段は、いずれも当該端末の実施例に適用し、同一の技術効果を奏することもできる。
【０１２４】
図９に示されているように、本開示の実施例による端末は、受信機９１とプロセッサ９２を含む。受信機９１は、ディスカバリ参照信号ＤＲＳの基地局による送信成功確率を受信することに用いられる。プロセッサ９２は、受信機９１に接続されており、所定の評価周期内で各サブフレームのセル参照信号ＣＲＳを検出することによって、各サブフレームについて、ＣＲＳ検出状態と、無線リンク測定窓内のＤＲＳ未検出状態を含むサブフレーム状態を得る機能と、ＤＲＳの基地局による送信成功確率に基づいて、サブフレーム状態が無線リンク測定窓内のＤＲＳ未検出状態であるサブフレームの状態発生理由を確定する機能と、状態発生理由およびサブフレーム状態に基づいて、所定の評価周期内の無線リンク品質に対し所定の検出を行い、無線リンクの状態を確定する機能を実現することに用いられる。
【０１２５】
プロセッサ９２は、上記端末の実施例における全てのモジュールによる機能を実現するように配置されてもよく、上記端末の実施例と同一の技術効果を奏することもできる。
【０１２６】
なお、本開示の実施例における端末は、移動電話機（または携帯電話）、またはそれ以外の無線信号の送受信が可能な機器であり、ユーザ機器（端末）、パーソナルデジタルアシスタント（ＰＤＡ）、無線モデム、無線通信装置、ハンドヘルドデバイス、ラップトップコンピュータ、コードレス電話、無線ローカルループ（ＷＬＬ）局、移動信号をｗｉｆｉ信号に変換可能なＣＰＥまたはＭｉｆｉ、スマート家電、またはそれ以外の人の操作によらずに自発的に移動通信ネットワークと通信可能な機器などが含まれる。
【０１２７】
以上、具体的な実施例と結び付けて本開示の基本的な原理を記載した。しかし、当業者にとって、本開示の方法および装置のすべてまたは任意のステップや部品は、任意の計算装置（プロセッサ、記憶媒体などを含む）や計算装置のネットワークでハードウェア、ファームウェア、ソフトウェアまたはそれらの組み合わせによって実現されうることが理解できる。これは、当業者が本開示の説明を閲読して基本的なプログラミング技能を活用して実現できることである。
【０１２８】
したがって、本開示の目的は、任意の計算装置で１つまたは一連のプログラムを実行することによっても実現されうる。計算装置は、周知されている汎用装置である。したがって、本開示の目的は、方法または装置を実現するプログラムコードを含むプログラムプロダクトの提供のみでも実現されうる。すなわち、このようなプログラムプロダクトも本開示を構成し、しかもこのようなプログラムプロダクトを記憶した記憶媒体も本開示を構成する。明らかに、記憶媒体は、任意の周知される記憶媒体または将来開発されうる任意の記憶媒体である。なお、本開示の装置と方法において、各部品または各ステップは、分解および／または再度の組み合わせが可能である。これらの分解および／または再度の組み合わせは、本開示と同等な効果手段と見なされるべきである。しかも、上記一連の処理を実行するステップは、自然に説明順に時間順で実行されるが、必ず時間順に実行される必要がない。一部のステップは、並行に実行されてもよく、または、互いに独立に実行されてもよい。
【０１２９】
以上は、本開示の選択可能な実施形態である。なお、当業者は、本開示の原理を逸脱せずに様々な改良や修飾をすることもできる。これらの改良や修飾も、本開示の保護範囲内に含まれる。
【図１】
2019522405.tif 000007
【図２】
2019522405.tif 000008
【図３】
2019522405.tif 000009
【図４】
2019522405.tif 000010
【図５】
2019522405.tif 000011
【図６】
2019522405.tif 000012
【図７】
2019522405.tif 000013
【図８】
2019522405.tif 000014
【図９】
2019522405.tif 000015
【図１０】
2019522405.tif 000016
【図１１】
2019522405.tif 000017
【図１２】
2019522405.tif 000018
【図１３】
2019522405.tif 000019
【図１４】
2019522405.tif 000020
【図１５】
2019522405.tif 000021
【手続補正書】
【提出日】平成31年1月24日(2019.1.24)
【手続補正１】
【補正対象書類名】特許請求の範囲
【補正対象項目名】全文
【補正方法】変更
【補正の内容】
【特許請求の範囲】
【請求項１】
ディスカバリ参照信号ＤＲＳの基地局による送信成功確率を取得することと、
所定の評価周期内で各サブフレームのセル参照信号ＣＲＳを検出することによって、前記各サブフレームについて、ＣＲＳ検出状態と、無線リンク測定窓内のＤＲＳ未検出状態を含むサブフレーム状態を得ることと、
前記ＤＲＳの基地局による送信成功確率に基づいて、前記サブフレーム状態が前記無線リンク測定窓内のＤＲＳ未検出状態であるサブフレームの状態発生理由を確定することと、
前記状態発生理由および前記サブフレーム状態に基づいて、所定の評価周期内の無線リンク品質に対し所定の検出を行い、無線リンクの状態を確定することと、を含む、端末による無線リンク品質の測定方法。
【請求項２】
ディスカバリ参照信号ＤＲＳの基地局による送信成功確率を取得することは、
前記基地局から所定の周期内でシステムブロードキャストによって送信されるＤＲＳ送信成功確率を取得すること、または、
前記基地局からシステムブロードキャストによって送信される、所定の周期内で統計された平均チャネル占用率を取得し、前記平均チャネル占用率に基づいて前記ＤＲＳの基地局による送信成功確率を確定することを含む請求項１に記載の測定方法。
【請求項３】
前記の前記基地局からシステムブロードキャストによって送信される、所定の周期内で統計された平均チャネル占用率を取得し、前記平均チャネル占用率に基づいて前記ＤＲＳの基地局による送信成功確率を確定することは、
前記平均チャネル占用率を、前記ＤＲＳの基地局による送信成功確率とすること、または、
前記平均チャネル占用率に基づいて、前記ＤＲＳの基地局による送信成功確率を算出することを含む請求項２に記載の測定方法。
【請求項４】
前記の所定の評価周期内で各サブフレームのセル参照信号ＣＲＳを検出することによって、各サブフレームについてサブフレーム状態を得ることは、
前記所定の評価周期内で、ＣＲＳの参照信号受信品質ＲＳＲＱがＣＲＳ検出閾値以上であると検出すると、検出対象であるサブフレームのサブフレーム状態を、ＣＲＳ検出状態と標識すること、及び／或いは、
前記所定の評価周期内の前記無線リンク測定窓内で、ＤＲＳを検出すると、ＤＲＳが検出されたサブフレームのサブフレーム状態を、ＣＲＳ検出状態と標識すること、及び／或いは
前記所定の評価周期内の前記無線リンク測定窓内で、ＤＲＳが検出されなければ、前記ＤＲＳのサブフレームのサブフレーム状態を、前記無線リンク測定窓内のＤＲＳ未検出状態と標識すること、を含む請求項１に記載の測定方法。
【請求項５】
前記所定の評価周期は、所定値または前記無線リンク測定窓の周期の正整数倍である請求項１に記載の測定方法。
【請求項６】
前記のＤＲＳの基地局による送信成功確率に基づいて、サブフレーム状態が無線リンク測定窓内のＤＲＳ未検出状態であるサブフレームの状態発生理由を確定する前に、
前記サブフレーム状態が無線リンク測定窓内のＤＲＳ未検出状態であるサブフレームに対し判断を行い
ＤＲＳ伝送窓内のサブフレームの一部または全てが、ＣＲＳ検出状態のサブフレームに対応するダウンリンク連続データサブフレームに位置すると、前記無線リンク測定窓内のＤＲＳ未検出状態のサブフレームの状態発生理由が、基地局によるＬＢＴの失敗ではないと確定する請求項１に記載の測定方法。
【請求項７】
ＤＲＳの基地局による送信成功確率に基づいて、サブフレーム状態が無線リンク測定窓内のＤＲＳ未検出状態であるサブフレームの状態発生理由を確定することは、
前記ＤＲＳの基地局による送信成功確率が所定の確率閾値以上であると、前記無線リンク測定窓内のＤＲＳ未検出状態のサブフレームの状態発生理由が、基地局によるＬＢＴの失敗であると確定することと、
前記ＤＲＳの基地局による送信成功確率が所定の確率閾値より小さくなると、無線リンク測定窓内のＤＲＳ未検出状態のサブフレームの状態発生理由が、基地局によるＬＢＴの失敗ではないと確定することと、を含む請求項１に記載の測定方法。
【請求項８】
ＤＲＳの基地局による送信成功確率に基づいて、サブフレーム状態が無線リンク測定窓内のＤＲＳ未検出状態であるサブフレームの状態発生理由を確定することは、
所定のルールに基づいて生成される参照値を取得することと、
前記参照値が前記ＤＲＳの基地局による送信成功確率以上であると、前記無線リンク測定窓内のＤＲＳ未検出状態のサブフレームの状態発生理由が、基地局によるＬＢＴの失敗ではないと確定することと、
前記参照値が前記ＤＲＳの基地局による送信成功確率より小さくなると、無線リンク測定窓内のＤＲＳ未検出状態のサブフレームの状態発生理由が、基地局によるＬＢＴの失敗であると確定することと、を含み、
前記参照値は、０以上かつ１以下である請求項１に記載の測定方法。
【請求項９】
所定の評価周期が同期評価周期であり、所定の検出が同期検出である場合、状態発生理由およびサブフレーム状態に基づいて、所定の評価周期内の無線リンク品質に対し所定の検出を行い、無線リンクの状態を確定することは、
前記同期評価周期内で、ＣＲＳ検出状態のサブフレームの第１ＲＳＲＱおよび無線リンク測定窓内のＤＲＳ未検出状態のサブフレームの状態発生理由が基地局によるＬＢＴの失敗ではないサブフレームの第１参照ＲＳＲＱを取得することと、
前記第１ＲＳＲＱと前記第１参照ＲＳＲＱに基づいて、第１平均ＲＳＲＱを確定することと、
第１平均ＲＳＲＱが所定の同期閾値以上であると、無線リンクの状態が無線リンク同期であると判定することと、を含む請求項１に記載の測定方法。
【請求項１０】
所定の評価周期が同期評価周期であり、所定の検出が同期検出である場合、状態発生理由およびサブフレーム状態に基づいて、所定の評価周期内の無線リンク品質に対し所定の検出を行い、無線リンクの状態を確定することは、
同期評価周期内で、ＣＲＳ検出状態のサブフレームの第２ＲＳＲＱ、無線リンク測定窓内のＤＲＳ未検出状態のサブフレームの状態発生理由が基地局によるＬＢＴの失敗ではないサブフレームの第２参照ＲＳＲＱ、および無線リンク測定窓内のＤＲＳ未検出状態のサブフレームの状態発生理由が基地局によるＬＢＴの失敗であるサブフレームの第３参照ＲＳＲＱを取得することと、
前記第２ＲＳＲＱ、前記第２参照ＲＳＲＱおよび前記第３参照ＲＳＲＱに基づいて、第２平均ＲＳＲＱを確定することと、
前記第２平均ＲＳＲＱが所定の同期閾値以上であると、無線リンクの状態が無線リンク同期であると判定することと、を含む請求項１に記載の測定方法。
【請求項１１】
無線リンクの状態を確定した後に、
無線リンクの状態が無線リンク同期であると判定すると、無線リンク同期指示を送信することをさらに含み、
無線リンク同期指示が送信される時間間隔は、無線リンク測定窓の周期以上である請求項１に記載の測定方法。
【請求項１２】
所定の評価周期が同期はずれ評価周期であり、所定の検出が同期はずれ検出である場合、状態発生理由およびサブフレーム状態に基づいて、所定の評価周期内の無線リンク品質に対し所定の検出を行い、無線リンクの状態を確定することは、
同期はずれ評価周期内で、無線リンク測定窓内のＣＲＳ検出状態のサブフレームの第３ＲＳＲＱおよび無線リンク測定窓内のＤＲＳ未検出状態のサブフレームの状態発生理由が基地局によるＬＢＴの失敗ではないサブフレームの第４参照ＲＳＲＱを取得することと、
前記第３ＲＳＲＱと前記第４参照ＲＳＲＱに基づいて、第３平均ＲＳＲＱを確定することと、
前記第３平均ＲＳＲＱが所定の同期はずれ閾値より小さくなると、無線リンクの状態が無線リンク同期はずれであると判定することと、を含む請求項１に記載の測定方法。
【請求項１３】
所定の評価周期が同期はずれ評価周期であり、所定の検出が同期はずれ検出である場合、状態発生理由およびサブフレーム状態に基づいて、所定の評価周期内の無線リンク品質に対し所定の検出を行い、無線リンクの状態を確定することは、
前記同期はずれ評価周期内で、前記無線リンク測定窓内のＣＲＳ検出状態のサブフレームの第４ＲＳＲＱ、無線リンク測定窓内のＤＲＳ未検出状態のサブフレームの状態発生理由が基地局によるＬＢＴの失敗ではないサブフレームの第５参照ＲＳＲＱ、および無線リンク測定窓内のＤＲＳ未検出状態のサブフレームの状態発生理由が基地局によるＬＢＴの失敗であるサブフレームの第６参照ＲＳＲＱを取得することと、
前記第４ＲＳＲＱ、前記第５参照ＲＳＲＱおよび前記第６参照ＲＳＲＱに基づいて、第４平均ＲＳＲＱを確定することと、
前記第４平均ＲＳＲＱが所定の同期はずれ閾値より小さくなると、無線リンクの状態が無線リンク同期はずれであると判定することと、を含む請求項１に記載の測定方法。
【請求項１４】
無線リンクの状態を確定した後に、
無線リンクの状態が無線リンク同期はずれであると判定すると、無線リンク同期はずれ指示を送信することをさらに含み、
無線リンク同期はずれ指示が送信される時間間隔は、無線リンク測定窓の周期以上である請求項１に記載の測定方法。
【請求項１５】
ディスカバリ参照信号ＤＲＳの基地局による送信成功確率を取得することに用いられる第１取得モジュールと、
所定の評価周期内で各サブフレームのセル参照信号ＣＲＳを検出することによって、各サブフレームについて、ＣＲＳ検出状態と、無線リンク測定窓内のＤＲＳ未検出状態を含むサブフレーム状態を得ることに用いられる状態検出モジュールと、
前記ＤＲＳの基地局による送信成功確率に基づいて、前記サブフレーム状態が無線リンク測定窓内のＤＲＳ未検出状態であるサブフレームの状態発生理由を確定することに用いられる確定モジュールと、
前記状態発生理由およびサブフレーム状態に基づいて、所定の評価周期内の無線リンク品質に対し所定の検出を行い、無線リンクの状態を確定することに用いられるリンク状態確定モジュールと、を含む端末。
【国際調査報告】
2019522405.tif 000022
2019522405.tif 000023
2019522405.tif 000024
2019522405.tif 000025